(57)【特許請求の範囲】
【請求項１】
上下に開口部を有する透明プラスチック製ケース本体の下部開口部に、脚部形成用突出片が外方折曲可能に形成されていると共に、グリーティングカード受止部形成用突出片が内方折曲可能に形成されていることを特徴とする立体型グリーティングカード用保護ケース。
【請求項２】
透明プラスチック製ケース本体の上部開口部に、グリーティングカード係止部形成用突出片が内方折曲可能に形成されていることを特徴とする請求項１記載の立体型グリーティングカード用保護ケース。
【発明の詳細な説明】
【技術分野】
【０００１】
本発明は、立体型グリーティングカード用保護ケースに関する。
【背景技術】
【０００２】
グリーティングカードは、誕生日や入学祝いなどのお祝い；パーティや歓送迎会などの招待；開店や住所変更などのお知らせ等広く利用されている。
而して、従来のグリーティングカードは、一般に絵画部とメッセージ欄部を備えているが、当該絵画部は単なる平面的な絵画に過ぎなかった（例えば、特許文献１参照）ため、立体感が得られないと云う問題があった。しかも、印刷絵画であったため、グリーティングカードを受け取った者が、当該絵画のレイアウトを変更することは全く不可能なことであった。
【０００３】
また、従来のグリーティングカードは、薄い紙製カードであったため、これを保管乃至鑑賞するためには、写真立て等を利用しなければならないのが実状であった。
【先行技術文献】
【特許文献】
【０００４】
【特許文献１】特開平７−５２５８５号公報
【発明の概要】
【発明が解決しようとする課題】
【０００５】
本発明は、上記の如き従来の問題と実状に鑑みてなされたもので、立体感が得られるグリーティングカード、更には絵画のレイアウト変更が可能なグリーティングカードを提供することを課題としている。
また、本発明は、当該グリーティングカードの輸送・保管に好適で、しかも特に写真立て等を用いずともそのまま立て置き鑑賞に用いることができるグリーティングカード用保護ケースを提供することを課題としている。
【課題を解決するための手段】
【０００６】
本発明は、グリーティングカード本体の少なくとも一部に、パーツ絵片を適宜枚数重ね貼りした絵画部が形成されていることを特徴とする立体型グリーティングカードにより前記課題を解決したものである。
【０００７】
また、本発明は、上記立体型グリーティングカードにおいて、パーツ絵片を、面ファスナーにより着脱自在に重ね貼りしていることを特徴とする立体型グリーティングカードにより前記課題を解決したものである。
【０００８】
また、本発明は、上下に開口部を有する透明プラスチック製ケース本体の下部開口部に、脚部形成用突出片が外方折曲可能に形成されていると共に、グリーティングカード受止部形成用突出片が内方折曲可能に形成されていることを特徴とするグリーティングカード用保護ケースにより前記課題を解決したものである。
【０００９】
また、本発明は、上記保護ケースにおいて、透明プラスチック製ケース本体の上部開口部に、グリーティングカード係止部形成用突出片が内方折曲可能に形成されていることを特徴とするグリーティングカード用保護ケースにより前記課題を解決したものである。
【００１０】
また、本発明は、上記グリーティングカードが、上記保護ケースに収納されていることを特徴とする立体型グリーティングカードにより前記課題を解決したものである。
【発明の効果】
【００１１】
本発明の立体型グリーティングカードによれば、看者は立体感を得ながら絵画部を鑑賞することができる。特に、パーツ絵片を面ファスナーにより着脱自在な実施形態とすれば、グリーティングカードを受け取った側において、絵画部を自在にレイアウト変更することができる。
また、本発明の保護ケースによれば、厚みのある立体型グリーティングカードを収納し、安全に輸送・保管することができると共に、グリーティングカードを立て置きディスプレイすることができるので、特に写真立て等を用いずに鑑賞に供することができる。
【図面の簡単な説明】
【００１２】
【図１】本発明立体型グリーティングカードの概略平面説明図。
【図２】本発明立体型グリーティングカードの概略断面説明図。
【図３】パーツ絵片とスペーサーの概略断面説明図。
【図４】本発明保護ケースの概略正面説明図。
【図５】本発明保護ケースの概略背面説明図。
【図６】本発明保護ケースにグリーティングカードを収納して立て置きした状態の概略斜視説明図。
【図７】本発明保護ケースにグリーティングカードを収納して立て置きした状態の概略断面説明図。
【発明を実施するための形態】
【００１３】
以下、本発明の実施の形態を図面と共に説明する。
【００１４】
図１は本発明立体型グリーティングカードの概略平面説明図、図２はその概略断面説明図、図３はパーツ絵片とスペーサーの概略断面説明図を示している。
当該図１〜図３において、１０はグリーティングカード本体で、その表面側には絵画部Ｐが形成されていると共に、その裏面側にはメッセージ欄（図示省略）が形成されている。
【００１５】
当該絵画部Ｐは、平面絵画部２０と立体絵画部３０とから構成されている。平面絵画部２０は、グリーティングカード本体１０の表面に印刷等によって表示されている。また、立体絵画部３０は、当該平面絵画部２０の各部と対応する部分毎のパーツ絵片３１を、それぞれ部分毎に適宜枚数重ね貼りして構成されている。尚、当該パーツ絵片３１の具体的な大きさや形状は絵柄等に応じて適宜決定される。
【００１６】
当該パーツ絵片３１の重ね貼りに際しては、適宜スペーサー３２を介在させるのが、少ないパーツ絵片の重ね貼り数で立体感を出せるのでより望ましい。
また、当該パーツ絵片３１とスペーサー３２は、図３に示すように、その表裏にそれぞれ面ファスナー部３１Ａ、３１Ｂ及び３２Ａ，３２Ｂを形成し、相互に着脱自在とするのが、絵画部Ｐのレイアウト変更が可能となり、より望ましい。
【００１７】
図４は本発明グリーティングカード用保護ケースの概略正面説明図、図５はその概略背面説明図、図６は当該保護ケースにグリーティングカードを収納して立て置きした状態の概略斜視説明図、図７はその概略断面説明図を示している。
当該図４〜図７において、５０は角筒型の透明プラスチック製ケース本体で、下部開口部５１と上部開口部５２を有する。このケース本体５０の下部開口部５１には、脚部形成用突出片５３ａが外方折曲可能に形設されている。この脚部形成用突出片５３ａの数は特に限定されないが、例えばケース本体５０の正面壁部５０ａの両サイドに２個、背面壁部５０ｂの両サイドに２個の計４個とするのが、図６に示すように、外方折曲により４個の脚部５３が得られ、安定した立て置きが可能となるので好ましい。
【００１８】
また、ケース本体５０の下部開口部５１の背面壁部５０ｂには、グリーティングカード受止部形成用突出片５４ａが内方折曲可能に形成されている。この突出片５４ａは、これを内方に折曲することにより、図７に示すように、グリーティングカードを内部に収納した場合、当該グリーティングカードが下部開口部５１から脱落するのを防止するためのカード本体１０の下端受止部５４が形成される。この下端受止部５４は、１回の内方折曲による水平受止部のみとしても良いが、２回の内方折曲により水平受止部５４ｘと垂直受止部５４ｙとにより構成するのが、カード本体１０の下端を、当該ケース本体５０の背面壁部５０ｂと水平受止部５４ｘと垂直受止５４ｙとにより形成される凹所に挿入することにより、より安定に保持固定し得るので望ましい。
【００１９】
他方、ケース本体５０の上部開口部５２の背面壁部５０ｂには、当該グリーティングカード係止部形成用突出片５５ａが内方折曲可能に形成されている。この突出片５５ａは、これを内方に折曲することにより、図７に示すように、グリーティングカードを内部に収納した場合、当該グリーティングカードが上部開口部５２から脱落するのを防止するためのカード本体１０の上端係止部５５が形成される。この上部係止部５５は、下端受止部５４と同様２回の折曲により水平係止部５５ｘと垂直係止部５５ｙとにより構成するのが、カード本体１０の上端をより安定に保持固定する上で望ましい。
【００２０】
尚、ケース本体５０自体の具体的形成法はその如何を問わないが、当該ケース本体５０における各折曲部には、適宜型押し加工、ハーフカット加工等を施しておくのが折曲作業が容易となり望ましい。
【００２１】
斯かる保護ケースに本発明の立体型グリーティングカードを収納して輸送・保管する場合には、まずケース本体５０の上部開口部５２又は下部開口部５１から、絵画部Ｐを備えたカード本体１０を挿入し、次いでグリーティングカード受止部形成用突出片５４ａとグリーティングカード係止部形成用突出片５５ａとを適宜順序で内方折曲して、それぞれ受止部５４と係止部５５を形成し、カード本体１０の下端及び上端を保持固定する。この場合、脚部形成用突出片５３ａを外方折曲して脚部５３を形成すると、脚部５３がケース本体５０から突出した状態となり、包装に不向きなので、折曲せずそのままの状態で輸送に供するのが好ましい。
而して、本発明の保護ケースを用いれば、厚みのある立体型グリーティングカードを破損することなく安全に輸送・保管することができる。
【００２２】
一方、グリーティングカードを受け取った側は、脚部形成用突出片５３ａを外方折曲して脚部５３を形成すれば、そのまま立て置きディスプレイに供することができる。
しかも、パーツ絵片３１が面ファスナーにより着脱自在となっている場合には、好みに応じて絵画部Ｐのレイアウトを変更することができる。
【符号の説明】
【００２３】
Ｐ：絵画部
１０：カード本体
２０：平面絵画部
３０：立体絵画部
３１：パーツ絵片
３１Ａ，３１Ｂ：面ファスナー部
３２：スペーサー
３２Ａ，３２Ｂ：面ファスナー部
５０：ケース本体
５０ａ：正面壁部
５０ｂ：背面壁部
５１：下部開口部
５２：上部開口部
５３：脚部
５３ａ：脚部形成用突出片
５４：受止部
５４ａ：受止部形成用突出片
５４ｘ：水平受止部
５４ｙ：垂直受止部
５５：係止部
５５ａ：係止部形成用突出片
５５ｘ：水平係止部
５５ｙ：垂直係止部
【図１】
0005465764.tif 000002
【図２】
0005465764.tif 000003
【図３】
0005465764.tif 000004
【図４】
0005465764.tif 000005
【図５】
0005465764.tif 000006
【図６】
0005465764.tif 000007
【図７】
0005465764.tif 000008